(57)【特許請求の範囲】
【請求項１】
表示装置と有線又は無線により接続する接続手段と、
画面表示を行う表示手段と、
コンテンツの表示画面情報を取得する取得手段と、
前記表示画面情報に基づいて、前記表示手段に表示させる第１の画面に対応する第１の画面情報と、前記表示装置に表示させる第２の画面に対応する第２の画面情報とを作成し、前記第１の画面情報を用いて前記表示手段に前記第１の画面を表示させ、同時に、前記第２の画面情報を前記表示装置に送信することにより当該表示装置に前記第２の画面を表示させる表示制御手段とを備える端末装置であり、
前記表示制御手段は、
前記第２の画面情報として、前記コンテンツの画面を前記表示装置に表示させるための画面情報を作成し、前記第１の画面情報として、前記第２の画面情報により表示されるコンテンツの中の指定された部分を前記表示手段に表示させるための画面情報を作成する
端末装置。
【請求項２】
前記表示制御手段は、前記コンテンツの中の前記表示手段に表示されている部分を示す情報を前記表示装置に表示させる
請求項１に記載の端末装置。
【請求項３】
前記表示制御手段は、
第１のモードが指定された場合において、前記表示手段により表示される前記第１の画面上で操作がなされた場合に、当該操作により変更された後の画面を前記表示手段に表示させる
請求項１又は２に記載の端末装置。
【請求項４】
前記表示制御手段は、
第２のモードが指定された場合において、前記端末装置において、前記表示装置により表示される前記第２の画面を変更するための操作がなされた場合に、当該操作により変更された後の画面を前記表示装置に表示させる
請求項１ないし３のうちいずれか１項に記載の端末装置。
【請求項５】
表示装置と有線又は無線により接続する接続手段と、画面表示を行う表示手段とを備える端末装置が実行する表示制御方法であって、
コンテンツの表示画面情報を取得する取得ステップと、
前記表示画面情報に基づいて、前記表示手段に表示させる第１の画面に対応する第１の画面情報と、前記表示装置に表示させる第２の画面に対応する第２の画面情報とを作成し、前記第１の画面情報を用いて前記表示手段に前記第１の画面を表示させ、同時に、前記第２の画面情報を前記表示装置に送信することにより当該表示装置に前記第２の画面を表示させる表示制御ステップとを備える表示制御方法であり、
前記表示制御ステップにおいて、前記端末装置は、
前記第２の画面情報として、前記コンテンツの画面を前記表示装置に表示させるための画面情報を作成し、前記第１の画面情報として、前記第２の画面情報により表示されるコンテンツの中の指定された部分を前記表示手段に表示させるための画面情報を作成する
表示制御方法。
【請求項６】
コンピュータを、請求項１ないし４のうちいずれか１項に記載の端末装置における表示制御手段として機能させるためのプログラム。
【発明の詳細な説明】
【技術分野】
【０００１】
本発明は、Ｗｅｂページ等のコンテンツの画面をスマートフォン等のユーザ端末に表示する技術に関連するものである。
【背景技術】
【０００２】
今日、スマートフォン等の携帯端末が普及している。例えば、携帯端末に一般的に搭載されているブラウザにより、携帯端末を用いてネットワーク上の様々なコンテンツの画面を表示し、閲覧することが可能である。
【０００３】
また、携帯端末にはブラウザの他に、様々なアプリケーションを搭載することが可能である。ユーザは携帯端末のタッチパネルに表示されるアプリケーションの画面を見ながら、当該画面上で操作を行う等して当該アプリケーションの種々のサービスを利用することができる。
【先行技術文献】
【特許文献】
【０００４】
【特許文献１】特開２００４−２６６６８３号公報
【発明の概要】
【発明が解決しようとする課題】
【０００５】
上記のように、ユーザは、携帯端末に表示されるコンテンツを閲覧したり、携帯端末に表示される画面上でアプリケーションの操作等を行うことが可能である。
【０００６】
しかし、携帯端末の画面のサイズは、ＰＣ等の画面のサイズよりも小さく、例えば携帯端末においてブラウザでコンテンツを表示する場合、限られた画面上に非常に多くの情報が表示されてしまうことになり、文字・アイコン・図表等が小さすぎて見えにくく、操作もできないという状況になりやすい。このような場合、画面を拡大表示すれば、文字等も見やすく、操作もしやすくなるが、一方で、画面の全体を一覧することはできなくなってしまい、表示内容の確認、及び操作が非効率になる。
【０００７】
本発明は上記の点に鑑みてなされたものであり、携帯端末のように画面の小さな端末を用いる場合でも、ユーザが表示情報の閲覧、操作を効率的に行うことを可能とする技術を提供することを目的とする。
【課題を解決するための手段】
【０００８】
本発明の実施の形態によれば、表示装置と有線又は無線により接続する接続手段と、
画面表示を行う表示手段と、
コンテンツの表示画面情報を取得する取得手段と、
前記表示画面情報に基づいて、前記表示手段に表示させる第１の画面に対応する第１の画面情報と、前記表示装置に表示させる第２の画面に対応する第２の画面情報とを作成し、前記第１の画面情報を用いて前記表示手段に前記第１の画面を表示させ、同時に、前記第２の画面情報を前記表示装置に送信することにより当該表示装置に前記第２の画面を表示させる表示制御手段とを備える端末装置であり、
前記表示制御手段は、
前記第２の画面情報として、前記コンテンツの画面を前記表示装置に表示させるための画面情報を作成し、前記第１の画面情報として、前記第２の画面情報により表示されるコンテンツの中の指定された部分を前記表示手段に表示させるための画面情報を作成する
端末装置が提供される。
【０００９】
また、本発明の実施の形態によれば、表示装置と有線又は無線により接続する接続手段と、画面表示を行う表示手段とを備える端末装置が実行する表示制御方法であって、
コンテンツの表示画面情報を取得する取得ステップと、
前記表示画面情報に基づいて、前記表示手段に表示させる第１の画面に対応する第１の画面情報と、前記表示装置に表示させる第２の画面に対応する第２の画面情報とを作成し、前記第１の画面情報を用いて前記表示手段に前記第１の画面を表示させ、同時に、前記第２の画面情報を前記表示装置に送信することにより当該表示装置に前記第２の画面を表示させる表示制御ステップとを備える表示制御方法であり、
前記表示制御ステップにおいて、前記端末装置は、
前記第２の画面情報として、前記コンテンツの画面を前記表示装置に表示させるための画面情報を作成し、前記第１の画面情報として、前記第２の画面情報により表示されるコンテンツの中の指定された部分を前記表示手段に表示させるための画面情報を作成する
表示制御方法が提供される。
【発明の効果】
【００１０】
本発明の実施の形態により、携帯端末のように画面の小さな端末を用いる場合でも、ユーザが表示情報の閲覧、操作を効率的に行うことを可能とする技術が提供される。
【図面の簡単な説明】
【００１１】
【図１】本発明の実施の形態に係る通信システムの構成図である。
【図２】ユーザ端末１０の構成図である。
【図３】設定情報格納部１４に格納される情報の例を示す図である。
【図４】表示位置と表示サイズを説明するための図である。
【図５】画面表示のための処理の流れを説明するための図である。
【図６】表示例１（ユーザ端末モード）を説明するための図である。
【図７】表示例２（表示装置モード）を説明するための図である。
【図８】表示例３（表示装置モード）を説明するための図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。
【００１３】
例えば、以下の実施の形態では、ユーザ端末（端末装置）としてスマートフォンを使用し、表示装置としてテレビ等を使用することを想定しているが、ユーザ端末はスマートフォンに限られず、表示装置はテレビに限られない。また、以下の実施の形態では、画面表示を行うアプリケーションがブラウザであることを想定しているが、本発明を適用できるアプリケーションはブラウザに限られない。
【００１４】
（システム構成）
図１に、本発明の実施の形態に係る通信システムの構成図を示す。図１に示すように、当該通信システムは、ユーザ端末１０、及び表示装置２０を含む。ユーザ端末１０は例えばスマートフォンであり、無線でネットワーク４０に接続するとともに、ネットワーク４０を介してＷｅｂサーバ等のコンテンツ提供装置３０からコンテンツを取得し、コンテンツの画面を表示する機能を含む。
【００１５】
本実施の形態では、表示装置２０が備えられ、ユーザ端末１０と接続される。接続は無線で行っても良いし、有線でもよい。表示装置２０は例えば一般的なテレビであるが、ユーザ端末１０が表示できる画面のサイズよりも大きなサイズの画面を表示できる表示装置であればどのような装置であってもよい。
【００１６】
本実施の形態では、ユーザ端末１０において作成（又は取得）されるコンテンツの表示画面情報に基づいて、ユーザ端末１０において画面が表示されるとともに、ユーザ端末１０から表示装置２０に表示画面情報が送られることで、表示装置２０にも当該コンテンツの画面が表示される。
【００１７】
ユーザ端末１０から表示装置２０に対して送信される表示画面情報は、画素毎のビット情報（すなわち、画像データ自体）であってもよいし、表示装置２０において画面表示を行う際に解釈される描画命令（の集合）であってもよいし、その他の形式の情報であってもよい。描画命令として表示画面情報を送信する方式を用いる場合、表示装置２０には、描画命令を解釈するＣＰＵ、グラフィック処理プロセッサ等が備えられていることが前提となる。
【００１８】
（ユーザ端末１０の構成例）
図２に、本実施の形態に係るユーザ端末１０の構成図を示す。図２に示すように、本実施の形態におけるユーザ端末１０は、操作・表示部１１、表示画面情報作成部１２、表示制御部１３、制御情報格納部１４を含む。なお、図２は、ユーザ端末１０において本発明の実施の形態に特に関連する機能部のみを示すものであり、例えばユーザ端末１０がスマートフォンであれば、スマートフォンとしての動作を行うための図示しない機能も有するものである。また、図２に示す機能構成は一例に過ぎない。本実施の形態に係るユーザ端末１０の動作を実行できるのであれば、機能区分や機能部の名称はどのようなものでもよい。
【００１９】
操作・表示部１１は、例えばタッチパネルであり、ユーザに対して画面（画像）の表示を行うとともに、表示画面上での操作を可能とする機能部である。表示画面情報作成部１２は、ブラウザ等、画面表示を行うアプリケーションに相当し、操作・表示部１１上に表示する表示画面の基となる表示画面情報を作成する。表示画面情報は表示制御部１３に渡される。
【００２０】
例えば表示画面情報作成部１２がブラウザである場合、表示画面情報作成部１２は、ネットワーク４０を介してコンテンツ提供装置３０からコンテンツ（ＨＴＭＬデータ）を受信し、ＨＴＭＬデータを解析することにより、当該ＨＴＭＬデータに対応するコンテンツ表示画面の基となる表示画面情報を作成する。例えば、表示画面情報が画像データ（ＲＧＢデータ）である場合、表示制御部１３から当該表示画面情報を操作・表示部１１に与えることによりコンテンツの画面表示がなされる。また、例えば、表示画面情報が描画命令等、画像データの前段階の情報である場合、例えば、操作・表示部１１が持つ画像処理機能により描画命令から画像データが作成されて表示がなされる。
【００２１】
また、表示画面情報作成部１２は、画面の表示がなされている操作・表示部１１上でなされた操作の情報を受信し、当該操作による変更後の表示画面情報（例：拡大、縮小、移動、入力文字表示等）を作成し、表示制御部１３に渡す動作も行う。
【００２２】
表示制御部１３は、表示画面情報作成部１２から受け取った表示画面情報を一時的に保持するバッファを含む。表示制御部１３は、設定情報格納部１４に格納された設定情報等に基づき、表示画面情報から、ユーザ端末１０における画面表示に用いるユーザ端末画面情報と、表示装置２０における画面表示に用いる表示装置画面情報とを作成し、ユーザ端末画面情報を操作・表示部１１に渡して表示させるとともに、表示装置画面情報を表示装置２０に送信して表示させる。
【００２３】
なお、想定されるアプリケーションがブラウザの場合において、表示制御部１３がブラウザの全部又は一部の機能を含むように構成してもよい。その場合、表示画面情報作成部１２は、ネットワーク４０から受信（取得）したコンテンツ（ＨＴＭＬデータ）を表示画面情報として表示制御部１３に渡し、表示制御部１３がコンテンツの解析、及びユーザ端末画面情報／表示装置画面情報の作成を行う。
【００２４】
図３に設定情報格納部１４に格納される設定情報の例を示す。図３（ａ）に示す設定情報の例は、表示装置２０とユーザ端末１０それぞれの表示位置と表示サイズである。図４は、表示位置と表示サイズを説明するための図である。本実施の形態では、表示画面情報作成部１２により作成される表示画面情報に係るコンテンツ画面全体は、例えば、ＨＴＭＬデータにおいて指定されたサイズ（例：横Ｘピクセル、縦Ｙピクセル）を持つ。表示位置は、該当の端末／装置において、画面全体の中のどの部分を表示するかを示す情報であり、例えば、全体のコンテンツ画面の所定位置（例：左上端）からのピクセル座標で表すことができる。表示サイズは、該当の端末／装置において、コンテンツの中のどのサイズの部分が表示されるかを示す。
【００２５】
表示位置／表示サイズの情報は、ユーザ操作に基づき変更される、もしくは、予め定められた値が保持される。詳細については後述する。
【００２６】
本実施の形態では、ユーザ端末１０に表示される画面に対して操作を行うユーザ端末モードと、表示装置２０に表示される画面に対して操作を行う表示装置モードとがある。ユーザは、例えばユーザ端末１０上の操作により、モードを切り替えることができる。当該操作は、例えば、所定のボタンを押す（タッチ）する等である。図３（ｂ）に示すように、設定情報として現在のモードが保持される。
【００２７】
また、各モードにおいては、設定に応じて種々の動作が可能であり、当該設定の内容が図３（ｃ）に示すように設定情報格納部１４に格納される。当該設定内容は、事前に設定しておく。
【００２８】
なお、図３（ａ）〜（ｃ）に示す設定情報は一例に過ぎない。例えば、図３（ｃ）に示す例では、設定内容をモード毎に保持しているが、全モードで共通に使用する１つの設定内容を保持することとしてもよい。
【００２９】
本実施の形態に係るユーザ端末１０は、例えば、ブラウザ等のアプリケーション、及び表示装置２０と有線又は無線で接続する手段を備えるコンピュータ（スマートフォン等の通信装置を含む）に、本実施の形態で説明する表示制御部１３の処理内容を記述したプログラムを実行させることにより実現可能である。すなわち、ユーザ端末１０の表示制御部１３が有する機能は、当該コンピュータに内蔵されるＣＰＵ（プロセッサ）やメモリ、ハードディスクなどのハードウェア資源を用いて、ユーザ端末１０で実施される処理に対応するプログラムを実行することによって実現することが可能である。上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００３０】
（画面表示のための処理の流れ）
図５を参照して画面表示のための処理の流れの例を説明する。図５は、ユーザ端末１０が表示画面情報作成部１２としてブラウザを備え、ネットワーク４０から受信したコンテンツの表示を行う場合の例を示している。
【００３１】
表示画面情報作成部１２がネットワーク４０からコンテンツを受信すると、ＨＴＭＬデータの解析、表示画面情報作成等のデータ処理を行い（ステップＳ１０１）、表示画面情報を表示制御部１３のバッファに格納する（ステップＳ１０２）。
【００３２】
表示制御部１３は、指定されているモード（ユーザ端末モード／表示装置モード）に基づいて、ユーザ端末１０での表示のためのユーザ端末画面情報と、表示装置２０での表示のための表示装置画面情報を作成し、ユーザ端末画面情報を操作・表示部１１に送信し、表示装置画面情報を表示装置２０に送信することで、ユーザ端末１０と表示装置２０のそれぞれにコンテンツの画面を表示される。なお、ユーザ端末１０と表示装置２０のそれぞれにコンテンツの画面を表示させることは一例であり、モードによってはユーザ端末１０にコンテンツの画面が表示されない場合もある。
【００３３】
（表示例１）
図６に、ユーザ端末モードにおける画面表示の例を示す。基本的に、ユーザ端末モードでは、表示装置２０において、例えば上下方向のスクロールで全体を閲覧できるように表示画面の横幅いっぱいコンテンツが表示される。また、ユーザ端末１０には、コンテンツの一部が表示される。図６の例では、コンテンツの中の点線で示した部分がユーザ端末１０に表示されていることが示されている。
【００３４】
本例の処理動作に関し、例えば、図３（ｃ）に示す設定内容として、ユーザ端末モードに対して「ユーザ端末：位置Ａ、Ｘ倍で拡大表示、表示装置：位置Ｂ、全体表示」が設定されている。なお、これらの値は初期値である。また、「全体表示」は一例であり、コンテンツの一部である表示サイズを設定してもよい。その場合、最初に当該表示サイズで示されるコンテンツの部分が表示される。
【００３５】
上記の設定に応じて、図３（ａ）の「表示装置」のフィールドには、「位置Ｂ、全体表示」に相当する情報が格納され、表示制御部１３は、表示装置２０に対して、位置Ｂのコンテンツの画面を表示するための表示画面情報を送信する。
【００３６】
また、上記の設定に応じて、図３（ａ）の「ユーザ端末」のフィールドには、表示位置に位置Ａが格納される。また、表示サイズについては、例えば、コンテンツ画面の横全体をユーザ端末の画面横幅いっぱいに表示した場合の倍率を１倍とし、このときに表示されているコンテンツ画面をＸ倍（縦横それぞれＸ倍に延ばす）にした場合にユーザ端末上に表示されるコンテンツ画面上のサイズ（縦横のピクセル数）が格納される。
【００３７】
表示制御部１３は、上記の情報を参照して、ユーザ端末１０上に表示させるコンテンツ部分に対応するユーザ端末画面情報を作成し、操作・表示部１１を介して表示を行う。
【００３８】
上記のような処理により、図６に示す表示が実現される。また、図３（ａ）に格納されるユーザ端末に対する表示位置／表示サイズを参照することで、表示制御部１３は、ユーザ端末１０上での表示画面が、全体の中のどこに相当するかを示す情報（例：点線枠）を含む表示装置画面情報を作成してもよい。これにより、表示装置２０上に図６に示す点線枠を表示させることができる。
【００３９】
ユーザ端末モードにおいては、ユーザは、ユーザ端末１０の表示画面を見ながら、例えば画面上で操作を行うことで、ユーザ端末１０に表示されている画面（表示内容）の拡大、縮小、移動を行うことができる。例えば、画面上で、「ピンチアウト」により、画面表示を拡大させる操作を行う。当該操作内容は操作・表示部１１から表示制御部１３に伝えられ、当該操作内容（操作量等）に応じて、ユーザ端末１０に表示するコンテンツの表示位置／表示サイズが決定され、これが図３（ａ）に更新後の設定情報として格納される。なお、拡大により、コンテンツにおける小さな部分が大きく表示されるので、「表示サイズ」は小さな値となる。この表示サイズのコンテンツ部分が、ユーザ端末１０の画面いっぱいに表示される。
【００４０】
上記のようにして更新された設定情報に基づき、ユーザ端末画面情報が作成され、表示される。また、図６のように点線枠を表示する場合、更新された設定情報に基づき、更新後の点線枠を含む表示装置画面情報が作成され、表示装置２０に送信され、表示が行われる。なお、拡大操作により、点線枠は小さくなる。
【００４１】
縮小、移動等についても上記と同様の処理が行われ、画面表示が行われる。また、ユーザ端末モードにおいて、ユーザ端末１０上で上下のスクロールを行うことで、例えば、表示装置１０に表示されていないコンテンツの部分を表示する際には、表示制御部１３は、当該スクロール操作に対応するコンテンツ上の移動量を取得し、当該移動量を用いて、図３（ａ）の表示装置における「表示位置」を当該移動量だけ変更し、変更後の表示位置に対応する表示装置画面情報を作成し、これを表示装置２０に送信することで、スクロール後のコンテンツを表示装置２０上に表示する。
【００４２】
また、ユーザ端末モードでは、ユーザ端末１０に表示されたコンテンツ画面上での情報入力を行うことができる。例えば、ユーザ端末１０上で、コンテンツにおける入力欄を拡大して表示し、当該入力欄に情報を入力すると、当該情報は操作・表示部１１から表示画面情報作成部１２に渡され、表示画面情報が作成され、表示制御部１３に渡される。表示制御部１３は、当該表示画面情報を用いて、例えば、現在表示しているユーザ端末画面情報と表示装置画面情報のそれぞれについて、変更があった画像情報のみを変更し、変更後のユーザ端末画面情報と表示装置画面情報を用いて表示を行う。これにより、入力操作の内容が、ユーザ端末１０と表示装置２０のそれぞれで表示される。
【００４３】
また、入力に応じて、入力情報が、表示画面情報作成部１２からネットワーク４０を経由してコンテンツ提供装置３０に送信される。そして、応答のコンテンツが表示画面情報作成部１２に返される。その後は、最初のコンテンツ画面表示の場合と同様に、ユーザ端末１０／表示装置２０への表示を行うことができる。
【００４４】
（表示例２、表示例３）
次に、表示例２、３を説明する。表示例２、３では、表示装置モードにおける表示について説明する。
【００４５】
本例の処理動作に関し、例えば、図３（ｃ）に示す予め設定される設定内容として、表示装置モードに対して「ユーザ端末：位置Ａ、全体表示」及び「表示装置：位置Ａ、全体表示」が設定されている。なお、これらは初期値を示す。前述した場合と同様に、「全体表示」は一例であり、コンテンツの一部である表示サイズを設定してもよい。その場合、最初に当該表示サイズで示されるコンテンツの部分が表示される。
【００４６】
上記の設定に応じて、図３（ａ）の「表示装置」のフィールドには、「位置Ａ、全体表示」に相当する情報が格納され、「ユーザ端末」フィールドにも「位置Ａ、全体表示」に相当する情報が格納される。
【００４７】
表示制御部１３は、上記の情報を参照して、コンテンツ画面全体（例えば、横方向の全体）をユーザ端末１０上に表示させるユーザ端末画面情報、及び、コンテンツ画面全体（例えば、横方向の全体）を表示装置２０上に表示させる表示装置画面情報を作成し、これらによりユーザ端末／表示装置への表示を行う。
【００４８】
その結果、例えば図７に示す表示がなされる。図７に示すように、表示装置２０とユーザ端末１０のいずれにもコンテンツ画面全体が表示される。ただし、ユーザ端末１０の画面は小さいため、縮小画面となる。
【００４９】
表示装置モードにおいては、ユーザは、主に表示装置２０の表示画面を見ながら、例えば、ユーザ端末１０に表示されている画面（表示内容）に対して拡大（例：ピンチアウト）、縮小（ピンチイン）、移動（フリック、ドラッグ等）、スクロールの操作を行うことで、表示装置２０の表示画面に対して拡大、縮小、移動、スクロールを行うことができる。このとき、ユーザ端末１０には、例えば、表示装置２０に表示されている画面と同じ画面が表示されている。
【００５０】
一例として、ユーザが、主に表示装置２０の画面を見ながらユーザ端末１０上で「ピンチアウト」により、画面を拡大させる操作を行うとする。当該操作内容は操作・表示部１１から表示制御部１３に伝えられ、当該操作内容（操作量等）に応じて、表示装置２０／ユーザ端末１０に表示するコンテンツの表示位置／表示サイズが決定され、これが図３（ａ）における更新後の設定情報として格納される。なお、拡大により、コンテンツにおける小さな部分が大きく表示されるので、元の表示サイズ（コンテンツのサイズ）よりも表示サイズは小さな値となる。
【００５１】
上記のようにして更新された設定情報に基づき、表示画面情報及びユーザ端末画面情報が作成され、表示される。これにより、更新後の表示サイズのコンテンツ部分が、表示装置２０／ユーザ端末１０それぞれの画面に表示される。縮小、移動、スクロール等についても上記と同様の処理が行われ、画面表示が行われる。
【００５２】
上記の例では、表示装置モードにおいて、ユーザ端末１０に、表示装置２０に表示される画面と同じ画面を表示し、操作をユーザ端末１０の画面上で行うこととしているが、これは例に過ぎない。
【００５３】
例えば、ユーザ端末１０にコンテンツの画面を表示させず、ユーザ端末１０は、表示装置２０に表示される画面に対する操作を行うための「リモコン」として使用することとしてもよい。
【００５４】
この場合、例えば、図３（ｃ）に示す予め設定される設定内容として、表示装置モードに対して「ユーザ端末：リモコン」、「表示装置：位置Ａ、全体表示」が設定されている。
【００５５】
表示制御部１３は、上記の情報を参照して、位置Ａのコンテンツの画面を表示装置２０上に表示させる表示装置画面情報を作成し、これにより表示装置２０への表示を行う。また、例えば、表示制御部１３は、ユーザ端末１０にリモコン画面を表示させるためのユーザ端末画面情報を作成し表示させる。
【００５６】
ユーザ端末１０をリモコンとして使用する例では、ユーザは、表示装置２０の表示画面を見ながら、例えば、ユーザ端末１０に表示されているリモコン画面（表示内容）に対して拡大、縮小、移動、スクロールの操作を行うことで、表示装置２０の表示画面に対して拡大、縮小、移動、スクロールを行うことができる。
【００５７】
一例として、ユーザが、表示装置２０の画面を見ながら画面を拡大させるリモコン操作を行うとする。当該操作内容は操作・表示部１１から表示制御部１３に伝えられ、当該操作内容に応じて、表示装置２０に表示するコンテンツの表示位置／表示サイズが決定され、これが図３（ａ）における更新後の設定情報として格納される。
【００５８】
上記のようにして更新された設定情報に基づき、表示装置画面情報が作成され、表示される。これにより、更新後の表示サイズのコンテンツ部分が、表示装置２０に表示される。縮小、移動等についても上記と同様の処理が行われ、画面表示が行われる。
【００５９】
また、表示装置モードでは、ユーザ端末１０を操作することで、表示装置２０に表示されたコンテンツ画面上での情報入力を行うことができる。例えば、図７に示す表示が行われているときに、ユーザが、ユーザ端末１０上で、表示装置２０に表示されているコンテンツにおける入力欄をタッチすることで、入力モードする。これにより、例えば、図８に示すように、表示制御部１３による制御に基づき、ユーザ端末１０には、入力インターフェース画面が表示される。当該画面から入力された情報は操作・表示部１１から表示画面情報作成部１２に渡され、表示画面情報が作成され、表示制御部１３に渡される。表示制御部１３は、当該表示画面情報を用いて、現在表示している表示装置画面情報について、例えば変更があった画像情報のみを変更し、変更後の表示装置画面情報を用いて表示を行う。これにより、入力操作の内容が、表示装置２０で表示される。
【００６０】
また、入力に応じて、入力情報が、表示画面情報作成部１２からネットワーク４０を経由してコンテンツ提供装置３０に送信される。そして、応答のコンテンツが表示画面情報作成部１２に返される。その後は、最初のコンテンツ画面表示の場合と同様に、ユーザ端末１０／表示装置２０への表示を行うことができる。
【００６１】
（実施の形態のまとめ）
以上、説明したように、本発明の実施の形態により、表示装置と有線又は無線により接続する接続手段と、画面表示を行う表示手段と、コンテンツの表示画面情報を取得する取得手段と、前記表示画面情報に基づいて、前記表示手段に表示させる第１の画面に対応する第１の画面情報と、前記表示装置に表示させる第２の画面に対応する第２の画面情報とを作成し、前記第１の画面情報を用いて前記表示手段に前記第１の画面を表示させ、前記第２の画面情報を前記表示装置に送信することにより当該表示装置に前記第２の画面を表示させる表示制御手段とを備える端末装置が提供される。
【００６２】
前記表示制御手段は、前記第２の画面情報として、前記コンテンツの画面を前記表示装置に表示させるための画面情報を作成し、前記第１の画面情報として、前記第２の画面情報により表示されるコンテンツの一部を前記表示手段に表示させるための画面情報を作成するようにしてもよい。
【００６３】
前記表示制御手段は、前記表示手段に表示される前記コンテンツの一部を示す情報を前記表示装置に表示させることとしてもよい。
【００６４】
前記表示制御手段は、第１のモードが指定された場合において、前記表示手段により表示される前記第１の画面上で操作がなされた場合に、当該操作により変更された後の画面を前記表示手段に表示させるように構成してもよい。
【００６５】
前記表示制御手段は、第２のモードが指定された場合において、前記端末装置において、前記表示装置により表示される前記第２の画面を変更するための操作がなされた場合に、当該操作により変更された後の画面を前記表示装置に表示させることとしてもよい。
【００６６】
（実施の形態の効果等）
本実施の形態により、ユーザ端末１０に表示装置２０を接続し、表示装置２０にコンテンツの画面を表示しつつ、表示装置２０に表示されたコンテンツの画面の一部を切り出した画面をユーザ端末１０に表示し、ユーザ端末１０上で操作を行うことができるので、広い範囲を把握しながら、細かな操作を行うことができる。なお、ユーザ端末１０が表示する画面は、表示装置２０に表示される画面の一部とは限らず、表示装置２０に表示される画面とはまったく別の部分の画面を表示してもよい。また、ユーザ端末１０を用いて表示装置２０上で操作を行うこともできるので、これによっても、広い範囲を把握しながら、細かな操作を行うことができる。すなわち、ユーザは表示情報の閲覧、操作を効率的に行うことが可能となる。
【００６７】
（第１項）
表示装置と有線又は無線により接続する接続手段と、
画面表示を行う表示手段と、
コンテンツの表示画面情報を取得する取得手段と、
前記表示画面情報に基づいて、前記表示手段に表示させる第１の画面に対応する第１の画面情報と、前記表示装置に表示させる第２の画面に対応する第２の画面情報とを作成し、前記第１の画面情報を用いて前記表示手段に前記第１の画面を表示させ、前記第２の画面情報を前記表示装置に送信することにより当該表示装置に前記第２の画面を表示させる表示制御手段と
を備える端末装置。
（第２項）
前記表示制御手段は、
前記第２の画面情報として、前記コンテンツの画面を前記表示装置に表示させるための画面情報を作成し、前記第１の画面情報として、前記第２の画面情報により表示されるコンテンツの一部を前記表示手段に表示させるための画面情報を作成する
第１項に記載の端末装置。
（第３項）
前記表示制御手段は、前記表示手段に表示される前記コンテンツの一部を示す情報を前記表示装置に表示させる
第２項に記載の端末装置。
（第４項）
前記表示制御手段は、
第１のモードが指定された場合において、前記表示手段により表示される前記第１の画面上で操作がなされた場合に、当該操作により変更された後の画面を前記表示手段に表示させる
第１項ないし第３項のうちいずれか１項に記載の端末装置。
（第５項）
前記表示制御手段は、
第２のモードが指定された場合において、前記端末装置において、前記表示装置により表示される前記第２の画面を変更するための操作がなされた場合に、当該操作により変更された後の画面を前記表示装置に表示させる
第１項ないし第４項のうちいずれか１項に記載の端末装置。
（第６項）
表示装置と有線又は無線により接続する接続手段と、画面表示を行う表示手段とを備える端末装置が実行する表示制御方法であって、
コンテンツの表示画面情報を取得する取得ステップと、
前記表示画面情報に基づいて、前記表示手段に表示させる第１の画面に対応する第１の画面情報と、前記表示装置に表示させる第２の画面に対応する第２の画面情報とを作成し、前記第１の画面情報を用いて前記表示手段に前記第１の画面を表示させ、前記第２の画面情報を前記表示装置に送信することにより当該表示装置に前記第２の画面を表示させる表示制御ステップと
を備える表示制御方法。
（第７項）
コンピュータを、第１項ないし第５項のうちいずれか１項に記載の端末装置における表示制御手段として機能させるためのプログラム。
本発明は、上記の実施の形態に限定されることなく、特許請求の範囲内において、種々変更・応用が可能である。
【符号の説明】
【００６８】
１０  ユーザ端末
１１  操作・表示部
１２  表示画面情報作成部
１３  表示制御部
１４  制御情報格納部
２０  表示装置
３０  コンテンツ提供装置
４０  ネットワーク
【図１】
0006577731.tif 000002
【図２】
0006577731.tif 000003
【図３】
0006577731.tif 000004
【図４】
0006577731.tif 000005
【図５】
0006577731.tif 000006
【図６】
0006577731.tif 000007
【図７】
0006577731.tif 000008
【図８】
0006577731.tif 000009